【手続補正書】
【提出日】平成20年3月25日(2008.3.25)
【手続補正１】
【補正対象書類名】明細書
【補正対象項目名】発明の名称
【補正方法】変更
【補正の内容】
【発明の名称】画像読み取り装置
【手続補正２】
【補正対象書類名】明細書
【補正対象項目名】特許請求の範囲
【補正方法】変更
【補正の内容】
【特許請求の範囲】
【請求項１】  被写体像を読み取り電気信号を出力する所定方向に配列された光電変換手段と、
前記光電変換手段による画像読み取りの前記所定方向の不均一性を補正するための基準部材と、
前記被写体像及び前記基準部材を照明する前記所定方向に配列された複数の照明手段と、
前記照明手段により照明された前記基準部材を読み取った前記光電変換手段の出力に応じて、前記複数の照明手段のそれぞれの照明光量を制御する制御手段と
を有することを特徴とする画像読み取り装置。
【請求項２】  前記光電変換手段は前記所定方向に複数配列され、前記制御手段は、前記照明手段により照明された前記基準部材を読み取った前記光電変換手段の出力が所定値よりも大きい場合、前記光電変換手段に対応する前記照明手段の光量を少なくするよう制御することを特徴とする請求項１に記載の画像読み取り装置。
【請求項３】  前記光電変換手段は前記所定方向に複数配列され、前記制御手段は、前記照明手段により照明された前記基準部材を読み取った前記光電変換手段の出力が所定値よりも小さい場合、前記光電変換手段に対応する前記照明手段の光量を大きくするよう制御することを特徴とする請求項１に記載の画像読み取り装置。
【請求項４】  前記光電変換手段と前記照明手段は同数設けられていることを特徴とする請求項２または３記載の画像読み取り装置。
【請求項５】  前記複数の照明手段のそれぞれは複数の発光手段を有し、前記複数の発光素子は、それぞれ光量制御をすることができることを特徴とする請求項１に記載の画像読み取り装置。
【手続補正３】
【補正対象書類名】明細書
【補正対象項目名】０００１
【補正方法】変更
【補正の内容】
【０００１】
【発明の属する技術分野】
本発明は、複写機、スキャナ等の画像読み取り装置に関する。
【手続補正４】
【補正対象書類名】明細書
【補正対象項目名】０００５
【補正方法】変更
【補正の内容】
【０００５】
【課題を解決するための手段】
上記課題を解決するための請求項１に記載の画像読み取り装置は、被写体像を読み取り電気信号を出力する所定方向に配列された光電変換手段と、前記光電変換手段による画像読み取りの前記所定方向の不均一性を補正するための基準部材と、前記被写体像及び前記基準部材を照明する前記所定方向に配列された複数の照明手段と、前記照明手段により照明された前記基準部材を読み取った前記光電変換手段の出力に応じて、前記複数の照明手段のそれぞれの照明光量を制御する制御手段とを有する。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２７
【補正方法】変更
【補正の内容】
【００２７】
上記画像形成装置１に備えられた原稿照明ランプ４は、露光走査にて得られた反射光像の軌道を反射して変更するための走査ミラー５、６、７と共に、画像形成装置１に紙面法線方向及び紙面水平方向に自在に支持された光学走査ユニットに保持されており、光学走査ユニットが紙面法線方向及び紙面水平方向への往復運動を繰り返すとにより、原稿の全画像データが原稿照明ランプ４にて露光走査されることとなる。これにより、得られた反射光像は、走査ミラー５、６、７にて軌道を変更されアナログデータをデジタルデータに変換するためのＣＣＤユニット８へと導かれる。
【手続補正２５】
【補正対象書類名】明細書
【補正対象項目名】００２８
【補正方法】変更
【補正の内容】
【００２８】
上記画像形成装置１に備えられたＣＣＤユニット８は、後述する図４に記載のようにＣＣＤ等から構成される撮像手段としての撮像素子９と、得られた反射光像を撮像素子９に結像する結像レンズ１０と、撮像素子９を駆動するＣＣＤドライバ１１とを有する。そして、得られた反射光像に応じて撮像素子９から出カされる出力信号を、対応するデジタルデータ、本実施の形態では、８ビットのデジタルデ一タに変換したのち、画像形成装置１に備えられたコントローラ部１２に入力するようになっている。
【手続補正２６】
【補正対象書類名】明細書
【補正対象項目名】００４４
【補正方法】変更
【補正の内容】
【００４４】
上記コントローラ部１２は、画像形成装置全体の制御を主として担うＣＰＵ３８と、装置全体の制御手順（制御プログラム）等が予め記憶されているＲＯＭ３９と、入カデータの記憶や作業記憶領域等として用いられる主記憶装置たるＲＡＭ４０と、装置間のインターフェ一スを為すＩ／Ｏポート４１と、使用者の操作パネル１３の手動操作に基づき、ＣＣＤユニット８から入力されたデジタルデータを画像処理する画像処理部４２と、処理された画像データを保持する画像メモリ部５９を有している。
【手続補正２７】
【補正対象書類名】明細書
【補正対象項目名】００５１
【補正方法】変更
【補正の内容】
【００５１】
次に、上記２値化処理回路５７に入力されたデジタルデータはγ変換回路５６にて輝度データから濃度データに変換されたのみである。したがって、依然として多値データであることから、２値データに変換する必要がある。本実施の形態では、公知のＥＤ法により多値データから２値データヘと変換され、更に、合成回路５８に入力される。
【手続補正２８】
【補正対象書類名】明細書
【補正対象項目名】００６５
【補正方法】変更
【補正の内容】
【００６５】
＜第２の実施の形態＞
＜ＬＥＤアレイによる傾状調整＞
第２の実施の形態は、上述の第１の実施の形態でのＬＥＤアレイ４０２の光量調整を相違するものであるが、画像形成装置１の構成などは同様であり、ここでは、その説明を割愛する。第２の実施の形態でのＬＥＤ光量調整手段は、傾状調整値の設定を行なうことが可能となるような制御手段である。以下に説明する。
【手続補正２９】
【補正対象書類名】明細書
【補正対象項目名】００８４
【補正方法】変更
【補正の内容】
【００８４】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フロッピーディスク（登録商標）、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。
【手続補正３０】
【補正対象書類名】明細書
【補正対象項目名】００８７
【補正方法】変更
【補正の内容】
【００８７】
【発明の効果】
以上説明したように、本発明によれば、所定方向のそれぞれの位置に適した光量で被写体像を照明することができ、読み取り画像の品位を向上させることができる。